(57)【特許請求の範囲】
【請求項１】
布面に付加し、布面上のパターンユニット（１２）を含む色彩変化を有するパターン（１０）であって、パターンユニット（１２）の上に1つの透明シート（１４）を設置することにより、透明シート（１４）の表面に複数の屈折波のパターンが形成され、且つ透明シート（１４）は互いに平行な複数の透明ストライプ（１４４）から構成され、全ての透明ストライプ（１４４）の両側に夫々異なる色彩を設けることにより、透明ストライプ（１４４）がパターンユニット（１２）に色彩屈折効果を発生させ、これにより、パターンユニット（１２）が、異なる角度から見るときに屈折による色彩変化を発生することを特徴とする色彩変化を有するパターン（１０）。
【請求項２】
パターンユニット（１２）はさらに透明シート（１４）による色彩屈折変化の組み合わせカラーブロックと、前記透明シート（１４）によらず色彩屈折変化を発生する単一カラーブロックを含むことを特徴とする請求項１に記載する色彩変化を有するパターン（１０）。
【請求項３】
透明シート（１４）は可撓性をもつことを特徴とする請求項１または２に記載する色彩変化を有するパターン（１０）。
【請求項４】
透明シート（１４）の屈折波のパターンはストライプ状の波のパターンであることを特徴とする請求項１に記載する色彩変化を有するパターン（１０）。
【請求項５】
透明シート（１４）の屈折波のパターンは環状の波のパターンであることを特徴とする請求項１に記載する色彩変化を有するパターン（１０）。
【発明の詳細な説明】
【技術分野】
【０００１】
本発明は色彩変化を有するパターンに関し、特に服装材料または普段着用などに応用でき、パターンを付加することにより軟質材料上の装飾効果を増し、また異なる角度から見ることで、見た者に視覚的な色彩変化を感じさせることができる。
【背景技術】
【０００２】
多くの衣服や普段着には各種の装飾設計が施されており、たとえばパターンを付加することを利用した表現方法はよく見られる方法の一つであり、刺繍、印刷などの各種の加工方法を利用して造型パターンを布上に表し、その独特のスタイルを強調することで、消費者の要望を満足させたり好みに応じたりすることができる。
【０００３】
パターンの視覚効果を有効的に示すために、パターンの配色、材料および加工方法の選択はパターン効果の表現に影響する重要な要素であり、そのため多くの業者はパターン効果の表現の研究に力を入れ、常に改良に努めている。
【０００４】
現在の衣服上のパターン表現は結局静止の設計であるので、パターンのデザインと色彩は異なる角度から見た際、角度上の形状の違いでしかなく、パターンそのものは固さを感じさせ、型にはまった一つの視覚的イメージを与える。このため、同業者は常に改善方法を模索しているが、今のところ理想的な解決方法は見つかっていない。
【発明の開示】
【発明が解決しようとする課題】
【０００５】
かつての服装材料または普段着用に付加された応用パターンが単調な視覚効果しか示さないことに鑑み、そこで本発明の主な目的は、生き生きと見せ、視覚的変化に富むパターンを提出することである。
【課題を解決するための手段】
【０００６】
上述の目的により、本発明は色彩屈折方法を応用したパターン設計を提出し、そのパターンは主に布または軟質材料上に設計するパターンブロックと、一層がパターンブロックに覆われた透明シートからなり、前記透明シートの表面に屈折波のパターンを形成し、パターンブロックを異なる角度から見るときに、屈折を介して視覚的な色彩変化の効果を産む。
【０００７】
以下の実施方法に本発明の詳しい特徴とメリットを詳細に記すが、その内容は関連技術に詳しい者が本発明の技術内容を理解したうえで実施できるもので、本説明書の示す内容、特許申請範囲および図式はいかなる関連技術者も容易に本発明に関する目的とメリットを理解できるものである。
【発明を実施するための最良の形態】
【０００８】
〔実施例〕
本発明の目的、構造、特徴およびその効能をさらに理解できるように、ここに実施例を詳細に説明する。
【０００９】
まず「図１」は本発明のパターンが衣服上に応用された使用概略図であり、また「図２」はパターンをあらわす平面図である。図が示すように、パターン１０は模様、色彩およびその結合する任意の創作であり、図に示す特定のデザインには限らない。また、パターン１０は印刷、手作業や各種の加工方法を利用し衣服２０に付加できる。また、パターン１０は衣服２０に限らず、いかなるパターン付加を設計する軟質材料上にも応用することができる。
【００１０】
「図３」が示すのは、本発明のパターン１０がいかなる設計のパターンブロック１２とパターンブロック１２に覆われた透明シートからなり、前記透明シートは可撓性（かとうせい）と光を通す材料を選ぶことができ、透明シート１４を結合した軟質材料は使用上柔軟な材料の特性をそのまま活かすことができる。
【００１１】
前記透明シート１４の表面に複数の屈折波のパターン１４２を形成することで複数の平行に並ぶ透明ストライプ１４４を形成し、前記屈折波のパターン１４２は図に示すように、ストライプ状の波のパターンや、環状の波のパターンなどで、パターンユニット１２の形状変化により２種類以上の並みのパターンを合わせることができる。
【００１２】
透明シート１４に合わせて設置された透明ストライプ１４４、パターンユニット１２は各透明ストライプ１４４によって両側に異なる色彩Ｃ１、Ｃ２が設置され、このように、透明ストライプ１４４はパターンユニット１２に対する色彩の屈折効果を発揮し、見る者に「図４」が示す視角Ａ、視角Ｂや視角Ｃの角度からパターン１０を見た際、パターン１０が示す色彩は異なる。
【００１３】
以上から分かるように、本発明は透明シート１４を結合したパターン１０であり、透明シート１４が提供する屈折作用を利用し、パターンブロック１２が異なる角度から見た際、人に生き生きとした視覚的変化を感じさせることができる。
【００１４】
実施にあたって、パターンユニット１２は各透明ストライプ１４４によって両側に異なる色彩Ｃ１、Ｃ２が設置され、視覚的な色彩変化を産み、もしパターン設計上局部に合わせても色が変わらないエリアが必要なら、「図２」の示すように、パターン１０を透明シート１４により色彩屈折変化を産むカラーブロック１２２と、透明シート１４により色彩屈折変化を産む単一のカラーブロック１２４を含むように設計することができる。
【００１５】
本発明は前述の実施例を示しているが、これは本発明を限定するものではない。本発明の精神を離脱しない範囲内での、いかなる装飾、変化もすべて本発明の特許の保護範囲に属する。本発明の定める保護範囲については特許申請範囲を参照されたい。
【図面の簡単な説明】
【００１６】
【図１】本発明のパターンが衣服に応用された使用概略図である。
【図２】本発明のパターンの平面図である。
【図３】本発明のパターンの局部断面図である。
【図４】本発明のパターンの局部断面図と、異なる角度からパターンを見たところを表す概略図である。
【符号の説明】
【００１７】
１０  パターン
１２  パターンユニット
１２２  色彩パターン
１２４  単一のカラーブロック
１４  透明シート
１４２  屈折波のパターン
１４４  透明ストライプ
２０  服装
C1 、C2  色彩
【図１】
0004537374.tif 000002
【図２】
0004537374.tif 000003
【図３】
0004537374.tif 000004
【図４】
0004537374.tif 000005